(57)【要約】【課題】本発明は、データを通信回線を介してメモリーカードに格納することができ、メモリーカードに保存した画像データを送信したり、内容を表示して等倍か、縮小してシール作成を行うファクシミリ装置及び画像処理装置の実現を目的とする。【解決手段】本発明の装置は、入手した画像データの複写枚数を指定する選択入力部と、当該画像データを上記指定された枚数分だけ縮小複写し、かつ上記選択入力部から指定された当該枚数に応じて、当該画像データを所定の角度回転させる画像処理手段と、上記縮小複写されかつ回転された複数の画像データを印刷用紙の所定位置に印刷するように配列する配列手段と、当該複数の画像データを印刷するプリント部を備える。【選択図】図２
2004007825.tif 000002
【特許請求の範囲】
【請求項１】
入手した画像データの複写枚数を指定する選択入力部と、
当該画像データを上記指定された枚数分だけ縮小複写し、かつ前記選択入力部から指定された当該枚数に応じて、当該画像データを所定の角度回転させる画像処理手段と、
上記縮小複写されかつ回転された複数の画像データを印刷用紙の所定位置に印刷するように配列する配列手段と、
当該複数の画像データを印刷するプリント部を備えることを特徴とする画像処理装置。
【請求項２】
請求項１記載の画像処理装置において、更に、上記画像データを表示する表示手段を有することを特徴とする画像処理装置。
【請求項３】
入手した画像データの複写枚数を指定する選択入力部と、
当該選択入力部による指定により、当該画像データを上記指定された枚数分だけ縮小複写し、かつ前記選択入力部から指定された当該枚数に応じて、当該画像データを所定の角度回転させる画像処理手段と、
上記縮小複写されかつ回転された複数の画像データを印刷用紙の所定の位置に印刷するように配列する配列手段と、
当該複数の画像データを印刷するプリント部を備えることを特徴とする画像処理装置。
【請求項４】
請求項１記載の画像処理装置において、更に、上記画像データを表示する表示手段を有することを特徴とする画像処理装置。
【発明の詳細な説明】
【技術分野】
【０００１】
　本発明は、画像データや音声データ等の回線から受信した内容や、スキャナで読み取った内容をメモリーカードに保存でき、また予めデジカメで保存した画像データ等のメモリーカードに記憶されている画像データを表示して、内容を確認後印刷できるファクシミリ装置、画像処理装置等に関するものである。
【背景技術】
【０００２】
　一般に用いられているファクシミリ装置は、送信したい画像をスキャナにて操作し、イメージ情報を取り込んで、その画像を送信したり、あるいは、そのようにして送られてきた画像を受信するだけのものであった。
【０００３】
　ところで、近年パーソナルコンピュータへの画像入力機としてデジタルスチルカメラが登場し、その静止画像の保存手段として各種のメモリーカードが利用されている。そして、この静止画像が記録されたメモリーカードをメモリーカード入出力部に挿入し、読取処理を行うことで、パーソナルコンピュータに画像データを取り込むことが広く行われるようになってきている。
【０００４】
　しかし、せっかくメモリーカードを用いてパーソナルコンピュータで画像処理できるようになっても、処理された画像を遠隔地に送信する場合にはまず画像をプリントアウトし、これをファクシミリ装置で送信することが一般的に行われている。これは、電子データで保存されているものをペーパー上の可視情報とし、さらに再び電子データに戻していることであり、記憶媒体を有効利用したことにはならない。
【０００５】
　そこで、ファクシミリ装置にメモリーカード入出力部を設け、これにメモリーカードを装着し、格納されているデータをカードから直接送信することに至った。このファクシミリ装置はファクシミリ装置の機能を飛躍的に向上させるものであり、ファクシミリ装置の可能性を拡大するものである。
【０００６】
　しかし、従来のファクシミリ装置は単純な画像の通信手段にすぎず、このようなメモリーカードが装着されたとき例えば画像内容をどうやって確認し、送信したり印刷したりするのかなど、どのような処理を行うのか、難問が山積みである。
【０００７】
　また、最近インターネット経由で画像データや音声データを配信し、決済なども電子的に行うというサービスが、世界中で急速に進展しつつある。このような画像データや音声データを入手するのは普通パーソナルコンピュータや携帯電話等の端末で行われるが、これらは例えば高齢者などにとってはまだなじみが薄く、せっかくのサービスも縁遠くなっている。現在、もっともポピュラーなデータ通信手段はファクシミリ装置であるが、今のところファクシミリ装置がこうした配信データを受信する端末として考えられたことはない。
【０００８】
　そして、配信されるデータが不法にコピーされたりすることもあり、これらの配信データの著作権保護をどのようにすれば図れることができるのか検討されている。そして、もしファクシミリ装置で配信データを入手するようになった場合、著作権保護が図れるかどうか未解決である。
【特許文献１】特開平１１−８８８０８号公報
【発明の開示】
【発明が解決しようとする課題】
【０００９】
　上記したように、従来のファクシミリ装置は、画像が記載された原稿をスキャナを介して読み取り、送信するだけのものであり、上述したデジタルスチルカメラで撮影した画像等を送信することはできないものであった。
【００１０】
　また、メモリーカードに記憶されているデジタルスチルカメラで撮影した画像や回線から入手した画像データをディスプレー上に表示し、その内容を確認して、確実な印刷ができるファクシミリ装置は存在しなかった。
【００１１】
　さらに、インターネット経由で配信される画像データや音声データを入手するファクシミリ装置はもとより存在しないし、入手したデータの著作権保護機能を果せるファクシミリ装置は存在していない。ファクシミリ装置がもっともポピュラーなデータ通信手段や印刷装置であることを考慮すると、ファクシミリ装置の活用はもっと図られてよい。
【００１２】
　このような状況下、最近、撮像装置から取り込んだ画像を背景と合成し複数並べてシール化したもの、いわゆる「プリクラ」で作成したシールが若年層を中心に流行している。しかし、これを実行するシール作成装置は専用機で、画像処理するための膨大な記憶容量をもつ記憶装置を備えたものである。この専用機はコストがかさむもので、家庭内で手軽に楽しむ趣味としての装置とはなりえないものであった。ファクシミリ装置にゲーム機感覚のシール作成機としての機能をもたせることができれば、ファクシミリ装置や画像処理装置等の可能性はさらに増すことになる。
【００１３】
　そこで、本発明は、通信回線から入手したデータやスキャナで読み取ったデータをメモリーカードに確実に格納することができ、予めデジカメ等で撮影してメモリーカードに保存してある画像データを良好な画質で送信したり、内容を表示して等倍で印刷したり、さらには縮小してシール作成の前処理等を行うファクシミリ装置や画像処理装置等を提供することを目的とする。
【課題を解決するための手段】
【００１４】
　上記目的を達成するため本発明の画像処理装置は、入手した画像データの複写枚数を指定する選択入力部と、当該画像データを上記指定された枚数分だけ縮小複写し、かつ前記選択入力部から指定された当該枚数に応じて、当該画像データを所定の角度回転させる画像処理手段と、上記縮小複写されかつ回転された複数の画像データを印刷用紙の所定位置に印刷するように配列する配列手段と、当該複数の画像データを印刷するプリント部を備えて構成されたことを特徴とする。
【００１５】
　これにより、ユーザが複写枚数を変更する毎に当該画像の配置を決定する必要がなく、操作の利便性が図れる。
【発明の効果】
【００１６】
　以上説明したように本発明の画像処理装置は、入手した画像データの複写枚数を指定する選択入力部と、当該画像データを上記指定された枚数分だけ縮小複写し、かつ上記選択入力部から指定された当該枚数に応じて、当該画像データを所定の角度回転させる画像処理手段と、上記縮小複写されかつ回転された複数の画像データを印刷用紙の所定位置に印刷するように配列する配列手段と、当該複数の画像データを印刷するプリント部を備え、ユーザによる複写画像の枚数指定に応じて、当該複写画像を回転させ、かつ印刷用紙の所定位置に印刷するように上記複写画像を配列するために、ユーザに対する高い利便性を有する。
【発明を実施するための最良の形態】
【００１７】
　本発明の請求項１に記載の発明は、入手した画像データの複写枚数を指定する選択入力部と、当該画像データを上記指定された枚数分だけ縮小複写し、かつ前記選択入力部から指定された当該枚数に応じて、当該画像データを所定の角度回転させる画像処理手段と、上記縮小複写されかつ回転された複数の画像データを印刷用紙の所定位置に印刷するように配列する配列手段と、当該複数の画像データを印刷するプリント部を備えて構成され、この構成により、ユーザが複写枚数を変更する毎に当該画像の配置を決定する必要がなく、操作の利便性が図れる。
【００１８】
　本発明の請求項２に記載の発明は、上記請求項１の構成と、更に、上記画像データを表示する表示手段を有し、複写画像の配置を表示することができ、ユーザに対する利便性が更に向上している。
【００１９】
　本発明の請求項３に記載の発明は、入手した画像データの複写枚数を指定する選択入力部と、当該選択入力部による指定により、当該画像データを上記指定された枚数分だけ縮小複写し、かつ前記選択入力部から指定された当該枚数に応じて、当該画像データを所定の角度回転させる画像処理手段と、上記縮小複写されかつ回転された複数の画像データを印刷用紙の所定の位置に印刷するように配列する配列手段と、当該複数の画像データを印刷するプリント部を備えて構成され、この構成により、ユーザが指定した複写画像の枚数により、画像が回転し、印刷用紙の所定の位置に印字され、ユーザに対する利便性の向上が図れる。
【００２０】
　本発明の請求項４に記載の発明は、上記請求項３の構成と、更に、上記画像データを表示する表示手段を有し、複写画像の配置を表示することができ、ユーザに対する利便性が更に向上している。
【実施例１】
【００２１】
　以下、本発明の実施例を図面を参照して説明する。図１は、本発明の一実施例におけるファクシミリ装置及び画像処理装置の外観を示す斜視図、図２は本発明の一実施例におけるファクシミリ装置及び画像処理装置の構成を示すブロック図である。
【００２２】
　図１において、１はファクシミリ装置本体、２は発呼のためのダイヤル等を行う操作部、３は、後述するデータ受信情報等の各種表示を行ったり、当方よりファクシミリ送信する画像情報を、送信に先立って確認したり、受信した画像情報やメモリーカードの画像情報を印刷するに際して、その前にその画像のチェックをするための液晶ディスプレー、４は通話を行うためのハンドセット、５はＳＤ（Secure Digital）メモリーカード６を挿入可能で、このＳＤメモリーカード６との間で画像情報のやり取りを行うＳＤカードリーダ・ライター２８（本発明におけるメモリーカード入出力部で、後述する）のカード挿入スロットである。このＳＤメモリーカード６は、世界の主要なソフト・コンテンツ会社から強く求められている著作権保護機能に対応した次世代のメモリーカードである。なお、メモリーカードとしてＳＤメモリーカードのほかパーソナルコンピュータカード規格に準拠したメモリーカードでもよく、コンパクトフラッシュ（登録商標）カード、スマートメディア等が好ましいが、著作権保護が可能になるＳＤメモリーカード６がもっとも望ましい。ＳＤメモリーカード６には多数の画像データが記憶されるが、希望する特定の画像を読み出すために一覧表示をすることができるサムネイル画像と、このサムネイル画像と対応する詳細画像がそれぞれ記憶されている。なお、当然ながらＳＤメモリーカード６は、画像データのほかにも音声データ等も保存できる。
【００２３】
　図２において、２０は中央制御部（本発明における制御手段）であり、この中央制御部２０はファクシミリ装置全体の動作プログラムを格納したＲＯＭに基づく各種演算処理を行うＣＰＵ、並びにこのＣＰＵとの間でデータの送受を行うＲＡＭを備えており、ファク
シミリ装置各部の動作を制御するものである。２１は通信回線を介して受信した受信データをいったん記憶したり、送信データを記憶するフラッシュメモリー等のデータ記憶部、２２は通信インターフェースであり、図示していない電話回線と本ファクシミリ装置との間の接続や各種プロトコールデータのやりとりおよびデータの送信と受信を行う。２３は相手ファクシミリ装置との間でのデータのやり取りに際し、変調／復調を行うモデム、２４は各種操作部であり、後述する選択入力部３１と一緒に図１における操作部２として示されている。２５はスキャナであり、原稿画像を読み取るものであり、本実施例においてはカラーイメージセンサを用いている。２６はデータフォーマット変換部であり、例えばカラーファクシミリ装置にて使用するＩＴＵ−Ｔ　Ｔ．８１規格に準拠したフォーマットの画像データを、ＳＤメモリーカード６の圧縮フォーマットであるＴＩＦＦのＪＰＥＧフォーマット又はＤＣＦのＪＰＥＧ形式のデータに変換するものである。その逆も実行される。このほかモノクロファクシミリ装置の場合はＭＨ符号化データを同様に変換する。音声データの配信を受ける場合には、ＭＰ３（ＭＰＥＧ　Ａｕｄｉｏ　Ｌａｙｅｒ３）フォーマットかＡＡＣ（Ａｄｖａｎｃｅｄ　Ａｕｄｉｏ　Ｃｏｄｉｎｇ）フォーマットの音声圧縮形式データをＳＤメモリーカード６用のデータフォーマットへ変換する。このように変換すれば、ＳＤメモリーカード６に格納されたデータをパーソナルコンピュータや再生装置で直ちに再生することができる。
【００２４】
　２７はプリント部であり、受信したファクシミリ画像データやＳＤメモリーカード６内の画像データを等倍でコピー印刷したり、縮小してシール形式でカラー印刷やモノクロ印刷することができる。なお、本実施例のように等倍や縮小印刷を行うほか、拡大印刷することも可能である。そのほか２８はＳＤメモリーカード６との間でデータのやり取りを行うＳＤカードリーダ・ライターである。２９は音声出力部であり、送られてくる音声データをＤ／Ａ変換し増幅して出力するものであり、図１におけるハンドセット４もこれに含まれる。３０は液晶ディスプレー３にデータ受信情報やサムネイル画像、詳細画像等の多くの表示を行う表示手段である。また、３１は、液晶ディスプレー３上に表示されたデータ受信情報を確認し、このうちのいくつかがＳＤメモリーカード６に格納したい画像データや音声データであった場合に、格納すべきデータを選択し、ＳＤメモリーカード６への保存指示を出したり、画像チェックの場合に、表示されているサムネイル画像の番号を入力したりする選択入力部である。図１に示す操作部２はこの選択入力部３１と各種操作部２４で構成される。
【００２５】
　３２は、シール形式で印刷を行う場合に画像データを縮小したり、画像が縦長か横長かで画像の向きを９０°回転させ、さらにはこの回転の際に発生する縦横長比の変化を修正する縦横比補正を行う画像処理手段である。３３は、シール形式で印刷するときに、１枚のシールの中で画像をどのように配列するかを、縮小画像の数（分割数）により決定し、画像の所定位置への貼り付けを実行する配列手段である。本実施例では、縮小２画像、縮小４画像、縮小１６画像のシール印刷を行うから、１枚のシールを、（横２）×（縦１）、（横２）×（縦２）、（横４）×（縦４）のセルの枠に分割し、配列手段３３が画像処理で得た縮小画像をこの分割枠のセルの中に複写して画像データを形成するものである。
【００２６】
　表示手段３０は、ファクシミリ装置が画像を送信したり、等倍もしくはシール印刷する場合に、画像の特定を行う必要があるから、サムネイル画像かファイル名またはフィル名を一覧表示する。これをみて操作者が選択入力部３１によって番号入力を行うと、この表示手段３０と中央制御部２０は、この番号と関係付けられた詳細画像をＳＤカードリーダ・ライター２８を介してＳＤメモリーカード６へ読み出しにいく。読み出された詳細画像データは、液晶ディスプレー３上に拡大された詳細画像として拓かれる。受信処理に関しても、表示手段３０は、通信回線から受信した各種データを一覧表示して、受信したすべてのデータの受信情報表示を行う。これによって受信データの選択が可能になり、データとして保存するか、プリントアウトするか、データ廃棄するか、などの処理を行うことが
できる。ＳＤメモリーカード６の画像をプリントする場合に、シール形式で印刷したいと思ったときには各種操作部２４からシール印刷の指示を行う。分割数として２分割，４分割，１６分割の中から、何分割のシールを作成したいのか、を入力すると、これをトリガとして画像処理手段３２が画像を縮小し、必要に応じて９０°回転させ、配列手段３３が縮小画像を複数並んだ状態に複写してシール画像を形成する。これをプリント部２７が印刷処理を行う。
【００２７】
　以上のように構成された、ファクシミリ装置及び画像処理装置の動作について、図３、図４の動作フローチャートを参照して説明する。図３は本発明の一実施例におけるファクシミリ装置及び画像処理装置の処理の全体の流れを示すフローチャート、図４は本発明の一実施例におけるファクシミリ装置及び画像処理装置の印刷処理の流れを示すフローチャートである。
【００２８】
　まず、ファクシミリ装置にてデータを受信する際の動作について説明する。データを受信する場合は、ＳＴＥＰ１よりＳＴＥＰ２へ移行し、受信したデータをフラッシュメモリーからなるデータ記憶部２１に記憶するとともに、データ受信情報であるこのデータのタイトル（ファイル名）、またはデータが画像データの場合はサムネイル画像を液晶ディスプレー３に表示する。受信したデータに著作権保護機能をもたせる「セキュリティ」のフラグがたっているときには、中央制御部２０はあわせてこの情報もデータ受信情報として表示する。
【００２９】
　その後、ＳＴＥＰ３にて、操作者はデータの受信情報をみてどのデータをＳＤメモリーカード６に転送するか選択して、選択入力部３１から保存命令を入力する。この入力があると、中央制御部２０はＳＤメモリーカード６がＳＤカードリーダ・ライター２８に装着されているか否かを認識にいき（ＳＴＥＰ４）、ＳＤメモリーカード６が装着されていないときには、警告のため「ＳＤメモリーカードが非装着です」などの表示を液晶ディスプレー３に行う（ＳＴＥＰ５）。ＳＤメモリーカード６が装着されている場合には、中央制御部２０は入力に従ってデータ記憶部２１の所定のデータをＳＤメモリーカード６に転送する（ＳＴＥＰ６）。もし、操作者がうっかりＳＤメモリーカード非装着のまま選択入力部３１を操作し、さらにデータがＳＤメモリーカード６に蓄積されないまま終了したときには、中央制御部２０はＳＤメモリーカード６が装着されるまで待機して、装着された時点に自動でデータの転送を行う。なお、この際、受信したデータがメモリーカードに入力することが可能なデータ形式と異なっているとき、中央制御部２０はデータフォーマット変換部２６にこれを入力可能なデータ形式へ変換するよう命じて変換後のデータを格納する（ＳＴＥＰ７）。カラー画像データの場合は、Ｌ*ａ*ｂ*データ形式でファクシミリ送信されるから、これをデータ記憶部２１のデジタル画像処理可能なデータ形式のＹＣｂＣｒデータに変換し、モノクロ画像データの場合は、ＭＨデータ形式でファクシミリ送信されてきているので、ＭＲ、ＭＭＲ、ＪＢＩＧ形式か、もしくはそのままＭＨデータ形式で記憶される。
【００３０】
　ＳＴＥＰ３でＳＤメモリーカード６に保存指示がされなかったときは、操作者が再び選択入力部３１と各種操作部２４を操作することで、その液晶ディスプレー３に表示されている画像をさらにプリントアウトするか否かを指示することができる（ＳＴＥＰ８）。
【００３１】
　プリントアウトする場合は、ＳＴＥＰ９へ移行し、その印刷すべき画像がモノクロ画像かカラー画像かが各種操作部２４から入力され、カラー画像の場合はＳＴＥＰ１０で「カラーモード」フラグが立てられ、モノクロ画像の場合はＳＴＥＰ１１で「モノクロモード」フラグが立てられる。この後、プリント部２７がこの２つのフラグのどちらが立っているかで、カラー印刷か、モノクロ画像かを行う。カラー印刷のときはＹＣｂＣｒデータから、モノクロ印刷のときにはＭＨデータ等からデータフォーマット部変換２６でＣＭＹＫ
に変換されて印刷される。その後ＳＴＥＰ４６へ移行してＥＮＤ処理される。なお、ＳＴＥＰ８にて、プリントアウトしないが選択された場合は、ＳＴＥＰ４６へ移行してＥＮＤ処理される。
【００３２】
　次に、送信処理について説明する。
【００３３】
　送信の場合は、ＳＴＥＰ１よりＳＴＥＰ１３へ移行し、送信がＳＤメモリーカード６に記憶されているデジタルカメラにて撮影した画像を送信するのか、あるいは、一般のファクシミリ装置のように原稿を送信するのかを、操作者が各種操作部２４を操作することで設定する。
【００３４】
　ＳＤメモリーカード６からの送信ではない場合、ＳＴＥＰ１４へ移行し、ファクシミリ装置本体１に原稿がセットされているか否かが判断される。
【００３５】
　原稿がセットされていない場合は、ＳＴＥＰ１６へ移行し、「原稿がセットされていません」などのメッセージを液晶ディスプレー３に表示するなどのエラー処理が行われる。一方、原稿がセットされている場合は、ＳＴＥＰ１５へ移行し、送信がカラー画像送信であるのかモノクロ画像送信であるのかが、操作者により各種操作部２４より入力される。そして、カラー画像送信の場合は、ＳＴＥＰ１７へ進む。このＳＴＥＰ１７では、スキャナ２５にて読み取られた原稿の画像は、データフォーマット変換部２６にてカラーファクシミリの標準規格であるＩＴＵ−Ｔ　Ｔ．８１の規格に準拠したＪＰＥＧフォーマット形式の画像データに変換され、モデム２３及び通信インターフェース２２を介して相手側へ送信される（ＳＴＥＰ１９）。また、モノクロ画像の場合は、ＭＨ符号等（他にＭＲ、ＭＭＲ、ＪＢＩＧがある）のデータに変換（ＳＴＥＰ１８）されてＳＴＥＰ１９にて送信処理がなされる。
【００３６】
　一方、ＳＴＥＰ１３にてＳＤメモリーカード６からの送信が設定された場合は、ＳＴＥＰ２０へ移行し、中央制御部２０はＳＤカードリーダ・ライター２８を制御し、ＳＤメモリーカード６に記憶されているデジタルカメラにて撮影された画像の一覧をサムネイル形式か，ファイル名の一覧表示で液晶ディスプレー３へ表示する。その後、操作者は、表示されているサムネイルや一覧表示から送信したい画像を指定するため、サムネイルと関連つけられている番号を選択入力部３１を操作することで入力する（ＳＴＥＰ２１）。すると、指定された番号のサムネイル画像に対する詳細画像が、液晶ディスプレー３へ表示される（ＳＴＥＰ２２）。ＳＴＥＰ２３では操作者は、この画像を見て、本当にこの画像を送信するか否かを決定し、送信する場合は、前述したＳＴＥＰ１５へ移行する。また、送信しない場合は、再度ＳＴＥＰ２０へ戻ってサムネイル表示等を行う（なお、図３のフローチャートには特別図示はしていないが、どのステップからであっても、エスケイプ処理は実行可能であり、このエスケイプ処理が実行されると、ＳＴＥＰ４６へ移行する。）。
【００３７】
　次に、プリントモードについて説明する。図４に示すように、ＳＴＥＰ１よりＳＴＥＰ２４に移行し、このＳＴＥＰ２４では、ＳＤメモリーカード６からの画像印刷なのか、原稿のコピーなのかが、操作者による各種操作部２４の入力によって判断される。原稿コピーのモードが指示された場合は、ＳＴＥＰ２４よりＳＴＥＰ２５へ移行して、ファクシミリ装置本体１に原稿がセットされているか否かが判断される。原稿がセットされていない場合は、ＳＴＥＰ３０へ移行してエラー処理が行われる。また、原稿がセットされている場合は、ＳＴＥＰ２６へ移行する。このＳＴＥＰ２６にて操作者により各種操作部２４の操作によってプリント釦が押下されると、ＳＴＥＰ２７へ移行して、スキャナ２５によって原稿のスキャンが行われると共に、プリント部２７による等倍画像の印刷（コピー印刷）が実行される。カラー画像であればカラー印刷が、モノクロ画像ならモノクロ印刷がなされるが、カラー画像であってもモノクロ印刷の指示もできる。
【００３８】
　一方、ＳＴＥＰ２４で、ＳＤメモリーカード６に記憶されているデジタルカメラで撮影した画像や通信回線を介して入手した画像をプリントアウトするように指示されると、ＳＴＥＰ２８へ移行し、ファクシミリ装置本体１のＳＤカードリーダ・ライター２８にＳＤメモリーカード６が装着されているか否かが判断される。ＳＤメモリーカード６が装着されていなければ、ＳＴＥＰ３０へ移行して、「ＳＤメモリーカードを挿入してください」などのメッセージを液晶ディスプレー３に表示するなどのエラー処理を行う。一方、ＳＤメモリーカード６が装着されている場合は、その複数の画像のサムネイル画像表示やファイル名の一覧表示が液晶ディスプレー３上に行われる。操作者は、一覧表示されているサムネイル画像かファイル名から印刷したい画像を特定するため、この画像と関連つけられている番号を選択入力部３１から入力する（ＳＴＥＰ３１）。すると、指定された番号の詳細画像が、液晶ディスプレー３へ表示される（ＳＴＥＰ３２）。ＳＴＥＰ３３では操作者は、この画像を見て、本当にこの画像をプリントアウトするか否かを最終決定し、プリントする場合は、ＳＴＥＰ３４へ移行する。また、プリントしない場合は、ＳＴＥＰ４６へ戻ってＥＮＤ処理される（なお、図４のフローチャートには特別図示はしていないが、どのステップからであっても、エスケイプ処理は実行可能であり、このエスケイプ処理が実行されると、ＳＴＥＰ４６へ移行する。）。
【００３９】
　印刷すると判断した場合は、ＳＴＥＰ３３からＳＴＥＰ３４へ移行し、その印刷すべき画像がモノクロ画像かカラー画像かが各種操作部２４から入力され、カラー画像の場合はＳＴＥＰ３５で「カラーモード」フラグがセットされ、モノクロ画像の場合はＳＴＥＰ３６で「モノクロモード」フラグがセットされる。この後、各印刷処理の場面において、この２つのフラグのどちらが立っているかで、カラー印刷を行うのか、モノクロ印刷を行うのかが判断される。画像モードのフラグの設定が行われたあと、ＳＴＥＰ３７へ移行して、印刷するのでも等倍のコピー印刷か、縮小画像を多数印刷するシール印刷を行うのかが、各種操作部２４から入力される。コピー印刷の場合も、「カラーモード」フラグと「モノクロモード」フラグのどちらがセットされているかに従って印刷処理される（ＳＴＥＰ３８）。なお、ＳＴＥＰ３３にて、プリントアウトしないが選択された場合は、ＳＴＥＰ４６へ移行してＥＮＤ処理される。
【００４０】
　ＳＴＥＰ３７でシール印刷が選択された場合には、ＳＴＥＰ３２で詳細画像が液晶ディスプレー３で表示されているため、操作者は分割数に応じて９０°回転をするのが妥当かを判断し、各種操作部２４から入力する（ＳＴＥＰ３９）。これにより、２分割画像の場合は「９０°回転」フラグが中央制御部２０にセットされ（ＳＴＥＰ４０）、４分割，１６分割画像の場合は「非回転」フラグがセットされる（ＳＴＥＰ４１）。
【００４１】
　続いて、各種操作部２４でシール印刷でも何分割のシールにするのかを選択する（ＳＴＥＰ４２）。本実施例では、縮小２画像、縮小４画像、縮小１６画像のシール印刷を行うことができるから、（横２）×（縦１）、（横２）×（縦２）、（横４）×（縦４）の枠の中から１つが選ばれる。次にこの選択をトリガとして、画像処理手段３２が画像データを縮小したり、分割数に応じて画像の向きを９０°回転させる処理を行う（ＳＴＥＰ４３）。本実施例では２分割のときのみ回転処理が行われる。
【００４２】
　例えば、元画像が２００万画素デジタルスチルカメラ画像（横１６００画素×縦１２００画素）で葉書大の大きさの用紙に４００ｄｐｉで印刷する場合には、２分割画像の場合、画像データの縮小率は１／２で（横８００画素×縦６００画素、すなわち５０．８ｍｍ×３８．１ｍｍ）となるが、画像の９０°回転をしなければならない。４分割の場合縮小率は１／４で（横４００画素×縦３００画素、すなわち２５．４ｍｍ×９．０５ｍの後、「カラーモード」フラグと「モノクロモード」フラグのどちらがセットされているかで、カラー印刷かモノクロ印刷かが決定され、印刷処理される（ＳＴＥＰ４５）。その後ＳＴ
ＥＰ４６へ移行してＥＮＤ処理される。
【００４３】
　以上説明したように本実施例のファクシミリ装置及び画像処理装置は、通信回線から入手したデータやスキャナで読み取ったデータをＳＤメモリーカードに確実に格納し、これを利用し必要に応じて再生することができるので、ペーパーを用いることなく、ＳＤメモリーカードから直接良好な画質で容易に送信することが可能である。また、サムネイル画像をみて、希望する特定の画像を選択し、内容を表示して等倍で印刷したり、場合によっては縮小してシール作成を行うことが可能となる。
【産業上の利用可能性】
【００４４】
　デジタルカメラにて保存した画像データ等のメモリーカードに記憶されている画像データを表示、印刷等が可能な画像処理装置に関し、画像データの回転が可能な為、画像表示、画像印刷が効果的に実行できる。
【図面の簡単な説明】
【００４５】
【図１】本発明の一実施例におけるファクシミリ装置及び画像処理装置の外観を示す斜視図
【図２】本発明の一実施例におけるファクシミリ装置及び画像処理装置の構成を示すブロック図
【図３】本発明の一実施例におけるファクシミリ装置及び画像処理装置の処理の全体流れを示すフローチャート
【図４】本発明の一実施例におけるファクシミリ装置及び画像処理装置の印刷処理の流れを示すフローチャート
【符号の説明】
【００４６】
　１　　ファクシミリ装置本体
　２　　操作部
　３　　液晶ディスプレー
　４　　ハンドセット
　５　　ＳＤカード挿入スロット
　６　　ＳＤメモリーカード
　２０　　中央制御部
　２１　　データ記憶部
　２２　　通信インターフェース
　２３　　モデム
　２４　　各種操作部
　２５　　スキャナ
　２６　　データフォーマット変換部
　２７　　プリント部
　２８　　ＳＤカードリーダ・ライター
　２９　　音声出力部
　３０　　表示手段
　３１　　選択入力部
　３２　　画像処理手段
　３３　　配列手段
【図１】
2004007825.tif 000003
【図２】
2004007825.tif 000004
【図３】
2004007825.tif 000005
【図４】
2004007825.tif 000006